(57)【要約】【課題】  再生性能の優れたディスク装置を提供することを目的とする。【解決手段】  ディスク２が着脱自在に載置されるターンテーブル３と、このターンテーブル３に対向して配置されるクランプ４と、ターンテーブル３とクランプ４との間にディスク２を狭持するように機能するクランプ手段５と、ターンテーブル３を回転駆動するモータ６とを備えたディスク装置１において、ターンテーブル３および／またはクランプ４は、ディスク２のクランプ領域２２と接触する接触面に、ディスク２がモータにより高速回転された際、ディスク２の面ブレを吸収する弾性層８を形成する。【選択図】図１
2008097763.tif 000002
【特許請求の範囲】
【請求項１】
ディスクが着脱自在に載置されるターンテーブルと、このターンテーブルに対向して配置されるクランプと、前記ターンテーブルと前記クランプとの間に前記ディスクを狭持するように機能するクランプ手段と、前記ターンテーブルを回転駆動するモータとを備えたディスク装置において、
前記クランプは、前記ディスクのクランプ領域と接触する接触面に、前記ディスクが前記モータにより高速回転された際、前記ディスクの面ブレを吸収する弾性層を、更に備えていることを特徴とするディスク装置。
【請求項２】
ディスクが着脱自在に載置されるターンテーブルと、このターンテーブルに対向して配置されるクランプと、前記ターンテーブルと前記クランプとの間に前記ディスクを狭持するように機能するクランプ手段と、前記ターンテーブルを回転駆動するモータとを備えたディスク装置において、
前記ターンテーブルおよび／または前記クランプは、前記ディスクのクランプ領域と接触する接触面に、前記ディスクが前記モータにより高速回転された際、前記ディスクの面ブレを吸収する弾性層を、更に備えていることを特徴とするディスク装置。
【請求項３】
前記接触面は、前記クランプ領域内の少なくとも外周部近傍と接触するように形成されていることを特徴とする請求項１または請求項２に記載のディスク装置。
【請求項４】
前記クランプは、前記弾性層を形成する材料により、一体的に形成されていることを特徴とする請求項１に記載のディスク装置。
【請求項５】
前記接触面は、前記クランプ領域内の少なくとも外周部近傍と非連続的に接触するように形成されていることを特徴とする請求項１乃至請求項４のいずれかに記載のディスク装置。
【請求項６】
前記弾性層は、合成ゴムで形成されていることを特徴とする請求項１乃至請求項５のいずれかに記載のディスク装置。
【発明の詳細な説明】
【技術分野】
【０００１】
本発明は、ＣＤ−ＲＯＭ、ＤＶＤ−ＲＯＭ、ＤＶＤ−ＲＡＭなどのディスクを再生・記録するディスク装置に関し、特に、ディスクの面ブレによる影響を受けないで、常に鮮明な再生映像および／または再生音声を得ることができるようにしたものである。
【背景技術】
【０００２】
ディスク装置、例えば、光ディスク装置において、ターンテーブル上で回転するディスク、例えば、光ディスクにレーザ光を照射して光ディスクに記録された信号を読み取る光ピックアップは、高い読み取り精度を維持するために、常に光ディスク面に対して直角にレーザ光を照射する必要がある。
【０００３】
一方、この種ディスク装置の進歩は、目覚ましく、ディスクに記録される情報を多くするために高密度化が進んでいる。これに伴い、ディスク面上のデータ領域に記録されるデータトラックの間隔もきわめて小さくなってきている。
【０００４】
従来の光ディスク装置では、例えば、ターンテーブルと、ディスクを固定するクランプと、ターンテーブルの上面に配置され、第１の摩擦係数を備えた第１のディスク接触部を有する摩擦部と、ターンテーブルの第１の摩擦部の外周部に配置され、第１の摩擦係数より小さい第２の摩擦係数を備えた可撓性の第２のディス接触部を有し、ディスクがターンテーブル上に載置されない状態で、上面から第２のディスク接触部までの距離が上面から第１のディスク接触部までの距離よりも高く形成された低摩擦部を設けるようにしたものがある(例えば、特許文献１参照）。
【特許文献１】２００２−２３０８７４号公報
【発明の開示】
【発明が解決しようとする課題】
【０００５】
しかし、前述の特許文献１記載の構成では、正常なディスクでは、特に問題ないが、所謂面ブレディスクを再生すると、ターンテーブルと、クランプによりディスクが強固に固定されているので、面ブレ量が大きいディスクでは、光軸に対するディスクの角度がずれ、所謂、スキューずれにより、安定したサーボ信号および再生データが得られない。このため、再生性能の悪化、即ち、鮮明な再生映像および／または再生音声を得ることができないといった問題があった。そして、ディスクの面ブレは、ディスク自身の重心の偏りとか変形に起因し、避けがたいものであるから、これに対応できるディスク装置の実現が要望されている。
【０００６】
本発明は、上述した問題を解決するためになされたものであり、再生性能の優れたディスク装置を提供することを目的とする。
【課題を解決するための手段】
【０００７】
かかる目的を達成するため、本発明では、ディスクが着脱自在に載置されるターンテーブルと、このターンテーブルに対向して配置されるクランプと、ターンテーブルとクランプとの間にディスクを狭持するように機能するクランプ手段と、ターンテーブルを回転駆動するモータとを備えたディスク装置において、クランプは、ディスクのクランプ領域と接触する接触面に、ディスクがモータにより高速回転された際、ディスクの面ブレを吸収する弾性層を、更に備えている。
【０００８】
この構成によれば、ディスクに面ブレがあっても、クランプのディスクのクランプ領域と接触する接触面には、面ブレを吸収する弾性層が形成されている。従って、再生・記録のときに、ディスクが高速で回転すると、その回転時の遠心力により、ディスクには、面ブレを補正するような分力が作用し、この分力は、弾性層により吸収される。この結果、ディスクは、面ブレが補正された状態、即ち、面ブレがない正常な状態で回転し、安定したサーボ信号および再生データが得られ、鮮明な映像および／または音声を再生することができる。また、弾性層が、クランプ側に設けられているので、面ブレを吸収した際にも、ターンテーブルの上に載置されたディスクと、ピックアップとの距離は、常に一定であり、読み取り精度に影響を及ぼすことがない。
【０００９】
また、本発明においては、ディスクが着脱自在に載置されるターンテーブルと、このターンテーブルに対向して配置されるクランプと、ターンテーブルとクランプとの間にディスクを狭持するように機能するクランプ手段と、ターンテーブルを回転駆動するモータとを備えたディスク装置において、ターンテーブルおよび／またはクランプは、ディスクのクランプ領域と接触する接触面に、ディスクがモータにより高速回転された際、ディスクの面ブレを吸収する弾性層を、更に備えている。
【００１０】
この構成によれば、ディスクに面ブレがあっても、ターンテーブルおよび／またはクランプのディスクのクランプ領域と接触する接触面には、面ブレを吸収する弾性層が形成されている。従って、再生・記録のときに、ディスクが高速で回転すると、その回転時の遠心力により、ディスクには、面ブレを補正するような分力が作用し、この分力は、弾性層により吸収される。この結果、ディスクは、面ブレが補正された状態、即ち、面ブレがない正常な状態で回転し、安定したサーボ信号および再生データが得られ、鮮明な映像および／または音声を再生することができる。
【００１１】
また、本発明においては、接触面は、クランプ領域内の少なくとも外周部近傍と接触するように形成する。この構成によれば、弾性層は、クランプ領域内の少なくとも外周部近傍と接触する部分にのみ形成すればよく、弾性層を必要最小限度とすることができるので、材料の節減および軽量化が図れ、モータなどの負担を軽減することができ、コスト削減などに寄与し、都合がよい。
【００１２】
また、本発明においては、クランプは、弾性層を形成する材料により、一体的に形成する。この構成によれば、弾性層を形成する材料によりクランプを一体的に形成しているので、金型成形などにより、簡単に、しかも精度良く製作することができ、都合がよい。
【００１３】
また、本発明においては、接触面は、クランプ領域内の少なくとも外周部近傍と非連続的に接触するように形成する。この構成によれば、弾性層は、クランプ領域内の少なくとも外周部近傍と非連続的に接触する部分にのみ形成すればよく、弾性層をより最小必要限度とすることができるので、材料の節減および軽量化が図れ、モータなどの負担をより軽減することができ、よりコスト削減などに寄与し、都合がよい。
【００１４】
また、本発明においては、弾性層は、合成ゴムで形成する。この構成によれば、弾性層は、合成ゴムで形成されているので、加工性および耐久性が良い。従って、加工がし易く、かつ、長期間に亘って、安定して面ブレを吸収することができ、都合がよい。
【発明の効果】
【００１５】
本発明によれば、常に、鮮明な映像および／または音声を再生することができるディスク装置を得ることができる。
【発明を実施するための最良の形態】
【００１６】
（第１実施形態）
以下、本発明の第１実施形態を図１乃至図６に基づいて説明する。図１は、本発明の第１実施形態に係るディスク装置である光ディスク装置の要部を示す概略側断面図、図２は、ディスクの一例を示す平面図である。図３は、図１に示すターンテーブルの一例を示す概略断面図、図４は、図２に示すターンテーブルの上面図である。図５および図６は、本発明による面ブレを吸収する状態を説明するための概念図で、図５は、光ディスクをターンテーブルに装着した状態を示し、図６は、光ディスクが回転している状態を示す。
【００１７】
図１に示すように、ディスク装置である、例えば、光ディスク装置１は、図２に示すような、光ディスク２が着脱自在に載置されるターンテーブル３と、このターンテーブル３に対向して配置されるクランプ４と、ターンテーブル３とクランプ４との間に光ディスク２を狭持するように機能するクランプ手段５と、ターンテーブル３を回転駆動するモータ６と、光ディスク２に記録された情報を読取る光ピックアップ７とを備えている。光ディスク２は、一般的に、図２に示すように、中心部にセンタホール２１が設けられ、このセンタホール２１の外側に、クランプ手段５によってクランプされるクランプ領域２２が設けられ、更に、その外側に情報を記録するデータ領域２３が形成されている。
【００１８】
ターンテーブル３は、例えば、図示しないディスクトレイによって搬入されてきた光ディスク２の中心を位置決めするに、センタホール２１が装着されるセンターコーン部３１を有し、モータ６、例えば、スピンドルモータの回転駆動軸６１に軸支され、所定の速度で回転される。
【００１９】
クランプ手段５は、例えば、ターンテーブル３に装着された永久磁石５１と、クランプ４に装着された、例えば、鉄板などからなるヨーク５２とから構成され、永久磁石５１とヨーク５２とで発生する磁力により、ターンテーブル３とクランプ４との間に光ディスク２のクランプ領域２２を狭持するように機能する。なお、永久磁石５１をクランプ４側に、また、ヨーク５２をターンテーブル３側に配置するようにしてもよいのは、勿論である。
【００２０】
光ピックアップ７は、図示しない案内レールによって案内されながら光ディスク２のデータ領域２３の最内周位置から最外周位置に記録された情報を読み取り、読取った情報を図示しない再生信号処理手段に伝達するように構成されている。
【００２１】
かかる構成により、使用者は、光ディスク２に記録された情報を、図示しない表示装置の液晶モジュールなどの表示画面に表示し、映し出された所望の再生映像および／または再生音声を観たり聞いたりすることができる。
【００２２】
而して、本発明に従い、図１乃至図４に示すように、ターンテーブル３の光ディスク２クランプ領域２２と接触する接触面３ａには、光ディスク３がモータ６により高速回転された際、光ディスク２の面ブレを吸収する弾性層８が形成されている。この弾性層８は、例えば、ポリブタジエン系、 ブタジエン・アクリロニトリル系、クロロプレン系、シリコン系などの合成ゴムからなり、この弾性層８が形成された接触面３ａは、クランプ領域２２内の少なくとも外周部２２ａ近傍と接触するように形成されている。この弾性層８の厚みｔは、弾性層８を構成する材質の硬度によっても異なるが、一般的に、光ディスク２の面ブレを吸収するために、例えば、合成ゴムで形成した場合、０．１５ｍｍ〜０．３ｍｍ以上であることが好ましい。また、弾性層８を合成ゴムで形成すると、加工性および耐久性が良いので、加工がし易く、かつ、長期間に亘って、安定して面ブレを吸収することができ、都合がよい。
【００２３】
以上の構成による本実施形態によれば、例えば、図５に示すように、光ディスク２をターンテーブル３に装着した状態では、光ディスク２に右肩上がりの面ブレがあっても、再生・記録のときに、光ディスク２が高速で回転すると、その回転時の遠心力Ｆにより、光ディスク２には、面ブレを補正するような分力ｆ１が作用する。この分力ｆ１は、図６に示すように、弾性層８により吸収され、光ディスク２は、面ブレが補正され、略水平状態、即ち、面ブレがない正常な状態と同様に回転する。従って、従来例のような、光ピックアップ７の光軸に対する光ディスク２の角度ずれ、所謂、スキューずれが生じないか若しくは、極めて改善される。この結果、安定したサーボ信号および再生データが得られる。
【００２４】
以上の構成による本実施形態では、光ディスク２に面ブレがあっても、ターンテーブル３の光ディスク２のクランプ領域２２と接触する接触面３ａには、面ブレを吸収する弾性層８が形成されている。従って、再生・記録のときに、光ディスク２が高速で回転すると、光ディスク２の面ブレは、弾性層８により吸収される。この結果、光ディスク２は、面ブレが補正された状態、即ち、面ブレがない正常な状態で回転し、安定したサーボ信号および再生データが得られ、鮮明な映像および／または音声を再生することができる。
【００２５】
（第２実施形態）
次に、本発明の第２実施形態について図７乃至図１４を参照しながら説明する。図７は、本発明の第２実施形態に係るディスク装置である、光ディスク装置の要部を示す概略側断面図、図８は、図７に示すクランプの一例を示す概略断面図、図９は、図８に示すクランプの底面図である。図１０は、クランプの他の例を示す概略断面図、図１１は、図１０に示すクランプの底面図である。図１２は、クランプの他の例を示す概略断面図である。図１３は、クランプの他の例を示す底面図である。図１４は、クランプの更に他の例を示す底面図である。なお、図７乃至図１４において、上述した図１乃至図６と同じ符号を付した部分は、略同一のものを示すため、ここでは詳細な説明は省略する。以下、上述した実施形態との相違点を中心に説明する。
【００２６】
本実施形態では、図７乃至図９に示すように、クランプ４の光ディスク２のクランプ領域２２と接触する接触面４ａの略全域に亘って、光ディスク２がモータ６により高速回転された際、光ディスク２の面ブレを吸収する弾性層８を形成したものである。
【００２７】
以上の構成による本実施形態によれば、上述した実施形態と同様、光ディスク２に面ブレがあっても、クランプ４の光ディスク２のクランプ領域２２と接触する接触面４ａには、面ブレを吸収する弾性層８が形成されている。従って、再生・記録のときに、光ディスク２が高速で回転すると、その回転時の遠心力により、光ディスク２には、面ブレを補正するような分力が作用し、この分力は、弾性層８により吸収される。この結果、光ディスク２は、面ブレが補正された状態、即ち、面ブレがない正常な状態で回転し、安定したサーボ信号および再生データが得られ、鮮明な映像および／または音声を再生することができる。
【００２８】
また、弾性層８が、クランプ４側に設けられているので、面ブレを吸収して弾性層８が圧縮した際にも、ターンテーブル３の上に載置された光ディスク２と、ピックアップ７との距離Ｔ（図７参照）は、常に一定であり、読み取り精度に影響を及ぼすことがない。
【００２９】
また、弾性層８からなる接触面４ａは、図１０および図１１に示すように、クランプ領域２２内の少なくとも外周部２２ａ（図２参照）近傍と接触する部分にのみに形成する。このように構成によれば、弾性層８は、クランプ領域２２内の少なくとも外周部２２ａ近傍と接触する部分にのみ形成すればよく、弾性層８を必要最小限度とすることができる。従って、材料の節減および軽量化が図れ、モータなどの負担を軽減することができ、コスト削減などに寄与し、都合がよい。
【００３０】
また、図１２に示すように、クランプ４を、弾性層８を形成する材料、例えば、上述した合成ゴムにより、一体的に形成するようにしてもよい。このように、クランプ４を、弾性層を形成する材料により一体的に形成すれば、金型成形などにより、簡単に、しかも精度良く製作することができ、都合がよい。
【００３１】
また、本発明においては、図１３に示すように、弾性層８からなる接触面４ａは、クランプ領域２２内の少なくとも外周部２２ａ（図２参照）近傍と非連続的に接触するように形成する。このように構成によれば、弾性層８は、クランプ領域２２内の少なくとも外周部２２ａ近傍と非連続的に接触する部分にのみ形成すればよく、弾性層８をより最小必要限度とすることができるので、材料の節減および軽量化が図れ、モータなどの負担をより軽減することができ、よりコスト削減などに寄与し、都合がよい。
【００３２】
また、本発明においては、図１４に示すように、弾性層８からなる接触面４ａを、クランプ領域２２の外周部２２ａ（図２参照）近傍に接触するように星型状に形成するようにしてもよい。このように、弾性層８からなる接触面４ａを星型状に形成に形成すれば、弾性層８を最小必要限度とすることができるので、材料の節減および軽量化がより図れ、モータなどの負担を軽減することができ、コスト削減などに寄与し、都合が良い。
【００３３】
なお、上述した各実施形態は、本発明の好適な実施例であるが、本発明はこれに限定されるものではなく、本発明の要旨を逸脱しない範囲において、種々変形実施可能である。
【００３４】
また、上述の実施形態では、クランプ手段５として、永久磁石５１と、ヨーク５２とから構成し、永久磁石５１とヨーク５２とで発生する磁力により、ターンテーブル３とクランプ４との間に光ディスク２を狭持するようにしたが、例えば、バネを用いてバネ力により、ターンテーブル３とクランプ４との間に光ディスク２を狭持するように構成してもよいのは、勿論である。
【００３５】
更に、上述した各実施形態では、ターンテーブル３またはクランプ４の一方のみに弾性層８からなる接触面３ａまたは接触面４ａを形成するようにしたが、ターンテーブル３およびクランプ４の双方に形成いてもよいのは、勿論である。
【図面の簡単な説明】
【００３６】
【図１】本発明の第１実施形態に係るディスク装置である、光ディスク装置の要部を示す概略側断面図である。
【図２】ディスクの一例を示す平面図である。
【図３】図１に示すターンテーブルの一例を示す概略断面図である。
【図４】図３に示すターンテーブルの上面図である。
【図５】本発明による面ブレを吸収する状態を説明するための概念図で、光ディスクをターンテーブルに装着した状態を示す。
【図６】本発明による面ブレを吸収する状態を説明するための概念図で、光ディスクが回転している状態を示す。
【図７】本発明の第２実施形態に係るディスク装置である、光ディスク装置の要部を示す概略側断面図である。
【図８】図７に示すクランプの一例を示す概略断面図である。
【図９】図８に示すクランプの底面図である。
【図１０】クランプの他の例を示す概略断面図である。
【図１１】図１０に示すクランプの底面図である。
【図１２】クランプの他の例を示す概略断面図である。
【図１３】クランプの他の例を示す底面図である。
【図１４】クランプの更に他の例を示す底面図である。
【符号の説明】
【００３７】
１      ディスク装置（光ディスク装置）
２      ディスク（光ディスク）
２２    クランプ領域
２２ａ  外周部
３      ターンテーブル
３ａ    接触面
４      クランプ
４ａ    接触面
５      クランプ手段
６      モータ
７      ピックアップ
８      弾性層
【図１】
2008097763.tif 000003
【図２】
2008097763.tif 000004
【図３】
2008097763.tif 000005
【図４】
2008097763.tif 000006
【図５】
2008097763.tif 000007
【図６】
2008097763.tif 000008
【図７】
2008097763.tif 000009
【図８】
2008097763.tif 000010
【図９】
2008097763.tif 000011
【図１０】
2008097763.tif 000012
【図１１】
2008097763.tif 000013
【図１２】
2008097763.tif 000014
【図１３】
2008097763.tif 000015
【図１４】
2008097763.tif 000016